(57)【要約】【課題】  作業者の衛生状態を含めた食品の製造履歴情報管理を行うことを可能とする食品の製造履歴情報管理システムを提供する。【解決手段】  上記課題を達成するための食品製造履歴情報管理システムは、工程毎に部屋分けされた製造ラインを有する食品工場において、ＩＤ番号を記録したＲＦＩＤ８４を持つ作業者８２の基本データが前記ＩＤ番号と共に記録された作業者データベースと、各作業者の各部屋への入室状態を記録する入室者データベースと、食品の製造履歴を記録する食品製造履歴データベースと、を有する履歴管理サーバ７０と、前記作業者８２のＲＦＩＤ８４のＩＤ番号を読み取るＲＦＩＤ読取部９０とを備えている。また、前記履歴管理サーバ７０は、読み取られた作業者のデータを食品製造履歴データに関連つけて記録する製造履歴データ記録部６８を有する。【選択図】    図２
2005107563.tif 000002
【特許請求の範囲】
【請求項１】
工程毎に部屋分けされた製造ラインを有する食品工場で、食品加工に携わる作業者の情報を食品の製造履歴情報の一部として記録する食品の製造履歴情報管理方法において、
前記作業者の情報は前記作業者が携帯するＩＤ番号を記録したタグのＩＤ番号を読み取ることで、前記ＩＤ番号に紐付けられて予めサーバに記録されている作業者の基本情報が前記食品の製造履歴情報に関連付けられることを特徴とする食品の製造履歴情報管理方法。
【請求項２】
前記作業者は定められた消毒機器の使用によって各部屋への入出を許可され、前記作業者が前記各部屋へ入出した情報に基づき前記作業者の工場内での動線が記録されることを特徴とする請求項１に記載の食品の製造履歴情報管理方法。
【請求項３】
工程毎に部屋分けされた製造ラインを有する食品工場において、ＩＤ番号を記録したタグを有する作業者の基本データが前記ＩＤ番号と共に記録された作業者データベースと、各作業者の各部屋への入室状態を記録する入室者データベースと、食品の製造履歴を記録する食品製造履歴データベースと、を有するサーバと、前記作業者が各部屋へ入出する際に前記タグのＩＤ番号を読み取るタグ読取部と、を備え、
前記サーバは、前記タグ読取部によって読み込まれたＩＤ番号と、前記作業者データベースとを照合して導き出された作業者の基本情報を、前記作業者が携わる製造工程情報の一部として食品製造履歴データに関連つけて記録する製造履歴データ記録部を有することを特徴とする食品の製造履歴情報管理システム。
【請求項４】
各部屋の出入口には消毒機器が備えられ、
前記消毒機器には、使用時に前記タグのＩＤ番号を読み取るタグ読取部と、前記消毒機器の使用時間を計測するタイマと、が備えられ、
前記サーバには、前記タイマによって計測された時間から、前記消毒機器が適切に使用されたかを判定するデータ収集部が設けられることを特徴とする請求項３に記載の食品の製造履歴情報管理システム。
【発明の詳細な説明】
【技術分野】
【０００１】
本発明は、食品の製造履歴情報管理方法およびシステムに係り、特に、弁当や惣菜等複数の食材を取り扱うラインを有する食品工場で作業する作業者の衛生情報も含めて管理する食品の製造履歴情報管理方法およびシステムに関する。
【背景技術】
【０００２】
食品を取り扱う生産ラインを持つ工場等では、食品を加工した環境の衛生面や食材の入荷時期、食材の加工手段、加工状態、および食品の製造ラインに携わる作業者の衛生情報までもが製造履歴を管理すること（衛生管理）の一環とされつつある。
【０００３】
このような食品の製造履歴情報管理を行っている工場では、従来、食材の入荷から製品（食品）として搬送されるまでの履歴は、作業者が手作業（手入力）により記録するようにしていたが、各行程に携わる作業者自体に関する情報は殆ど履歴として記録することはなかった。しかし、作業者の健康状態や衛生状態は、加工（製造）に携わった食品の衛生面に大きな影響を与えるとともに、食品に不具合が発生した場合には原因究明の一要因にもなることから重要なポイントとなっている。
【０００４】
作業者の情報も含めた食品の製造履歴情報管理を行うシステムについて、特許文献１に記載がある。
特許文献１に記載のシステムは、食品製造工程における温度と、時間と、各行程に携わった作業員と、作業員が食品の加工に使用した設備と、を履歴として記録し、「何時」、「誰が」、「どの設備を使用し」、「何を調理／加工したか」、「その時の温度条件はどうであったか」等の総合的な管理情報を出力できるというものである。
【特許文献１】特開平１１−１６０１６０号公報
【発明の開示】
【発明が解決しようとする課題】
【０００５】
特許文献１に記載のシステムによれば、誰が加工した（工程に携わった）かということは、履歴として残すことができるが、その作業者の衛生状態等は、履歴として残すことはできない。よって、食品に不具合が生じた場合に、責任問題を問うことはできるが、最も重要視すべき点である「何が原因であるか」ということを究明する要因の一つが抜けることとなる。また、作業員の履歴情報は、作業員自体がＩＤ番号を入力するという手段をとっているため、入力ミスや、入力を忘れるということが起こり得る。
【０００６】
本発明では、作業者の衛生状態、行動履歴をＨＡＣＣＰ（Ｈａｚａｒｄ  Ａｎａｌｙｓｉｓ  ａｎｄ  Ｃｒｉｔｉｃａｌ  Ｃｏｎｔｒｏｌ  Ｐｏｉｎｔ：危害分析重要管理点）や衛生管理基準として食品の製造履歴情報管理を行うことを可能とする食品製造履歴情報管理システムを提供することを目的とする。
【課題を解決するための手段】
【０００７】
上記目的を達成するために、本発明に係る食品の製造履歴情報管理方法は、工程毎に部屋分けされた製造ラインを有する食品工場で、食品加工に携わる作業者の情報を食品の製造履歴情報の一部として記録する食品の製造履歴情報管理方法において、前記作業者の情報は前記作業者が携帯するＩＤ番号を記録したタグのＩＤ番号を読み取ることで、前記ＩＤ番号に紐付けられて予めサーバに記録されている作業者の基本情報が前記食品の製造履歴情報に関連付けられることを特徴とする。
【０００８】
また、前記作業者は定められた消毒機器の使用によって各部屋への入出を許可され、前記作業者が前記各部屋へ入出した情報に基づき前記作業者の工場内での動線が記録されるようにすると良い。
【０００９】
また、上記目的を達成するために、本発明に係る食品の製造履歴情報管理システムは、工程毎に部屋分けされた製造ラインを有する食品工場において、ＩＤ番号を記録したタグを有する作業者の基本データが前記ＩＤ番号と共に記録された作業者データベースと、各作業者の各部屋への入室状態を記録する入室者データベースと、食品の製造履歴を記録する食品製造履歴データベースと、を有するサーバと、前記作業者が各部屋へ入出する際に前記タグのＩＤ番号を読み取るタグ読取部と、を備え、前記サーバは、前記タグ読取部によって読み込まれたＩＤ番号と、前記作業者データベースとを照合して導き出された作業者の基本情報を、前記作業者が携わる製造工程情報の一部として食品製造履歴データに関連つけて記録する製造履歴データ記録部を有することを特徴とする。
【００１０】
また、各部屋の出入口には消毒機器が備えられ、前記消毒機器には、使用時に前記タグのＩＤ番号を読み取るタグ読取部と、前記消毒機器の使用時間を計測するタイマと、が備えられ、前記サーバには、前記タイマによって計測された時間から、前記消毒機器が適切に使用されたかを判定するデータ収集部が設けられると良い。
【００１１】
また、本発明を実施する場合の基礎となる食品製造履歴情報管理システムは、食品製造の工程毎に配されるゲートと、前記ゲートで得られるデータを管理するサーバとを備え、前記ゲートには工程の環境データおよび食材の加工データを入力する入力装置と、ＩＤ番号を記録されたタグのＩＤ番号を読み取るリーダ部が設けられ、前記タグは食品製造の工程を流れて前記ゲート毎に分散・集合される食材のうち、同一条件で加工されるロット毎に付され、前記サーバは、前記ゲート毎に変化するロット単位のデータを、ゲート毎に前記タグに記録されたＩＤ番号と関連付けると共に、前記ゲート毎に変化する前記ＩＤ番号の履歴を管理することを特徴とするものであると良い。
また、前記ロットは、工程を流れるトレイ単位であるようにすると良い。
【発明の効果】
【００１２】
上記構成の食品の製造履歴情報管理方法において、作業者の基本情報をＩＤ番号に紐付けて予めサーバに記録しておくようにしたことで、ＩＤを読み取った時点で、予め記録されている作業者の病歴や健康状態といった複数の情報を食品製造工程の情報の一部として記録することができる。また、前記作業者は消毒機器の使用によって各部屋への入出を許可するようにすることで、食品製造工程の衛生状態を良好に保つことができる。また、作業者の入出情報を基に、作業者の動線を記録することで、作業者の行動管理をも行うことが可能となる。
【００１３】
また、上記構成の食品の製造履歴情報管理システムにおいて、工程毎に部屋分けされた製造ラインを有する食品工場において、ＩＤ番号を記録したタグを有する作業者の基本データが前記ＩＤ番号と共に記録された作業者データベースと、各作業者の各部屋への入室状態を記録する入室者データベースと、食品の製造履歴を記録する食品製造履歴データベースと、を有するサーバと、前記作業者が各部屋へ入出する際に前記タグのＩＤ番号を読み取るタグ読取部と、を備え、前記サーバは、前記タグ読取部によって読み込まれたＩＤ番号と、前記作業者データベースとを照合して導き出された作業者の基本情報を、前記作業者が携わる製造工程情報の一部として食品製造履歴データに関連つけて記録する製造履歴データ記録部を有することを特徴とすることにより、作業者の衛生状態を含めた食品の製造履歴情報の管理を行うことが可能となる。
【発明を実施するための最良の形態】
【００１４】
以下本発明の食品の製造履歴情報管理方法およびシステムに係る実施の形態を図面を参照しつつ説明する。なお、以下に示す実施の形態は本発明の一態様に過ぎない。
まず、本発明を実施する場合の基礎となる食品製造履歴情報管理システムについて説明する。
【００１５】
図１は、本発明を実施する場合の基礎となる食品製造履歴情報管理システムと製造ラインとの関係を示す概略構成の斜視図である。
当該食品製造履歴情報管理システムの基本構成は、ＩＤ番号を記録したタグであるＲａｄｉｏ  Ｆｒｅｑｕｅｎｃｙ  Ｉｄｅｎｔｉｆｉｃａｔｉｏｎ（以下ＲＦＩＤという）を備えたトレイ（容器）１０と、前記トレイ１０に備えられたＲＦＩＤに記録されたデータ（例えばＩＤ番号）を読み取る、リーダ部１２ａ、１２ｂと、前記トレイ１０によって搬送される食材２２を加工する際の環境情報等を入力する入力装置１４と、前記リーダ部１２ａ、１２ｂ及び入力装置１４が取得したデータを記録保存するコンピュータ端末１６とから成り、前記リーダ部１２ａ、１２ｂと、入力装置１４とから成る部分をゲート１１と総称する。
【００１６】
上記構成のシステムは、少なくとも上流側搬送部１８ａと、下流側搬送部１８ｂと、前記上流側搬送部１８ａと前記下流側搬送部１８ｂとの間に設けられる加工部２０とを備えた製造ラインに設けられる。
また、前記入力装置１４は、前記加工部２０の、食材２２を加工する際の加工温度や、環境情報等を得ることができる箇所に設けられていれば良い。
【００１７】
また、前記入力装置１４には図２に示すように、食材を加工する際の温度情報を入力する温度センシング部５４の他に、食材入荷時における情報を入力し、ＲＦＩＤのＩＤ番号と関連付ける入力端末部５２と、弁当等の盛り付け時の計量情報を入力する計量情報出力部５６と、作業場やトイレ等の各部屋への入室時若しくは退室時の使用がＳＯＰ（Ｓｔａｎｄａｒｄ  Ｏｐｅｒａｒｉｏｎ  Ｐｒｏｃｅｄｕｒｅ：標準作業手順）とされるエアシャワーや水道等の消毒・殺菌機器の作動時間を計測する作動時間計測部８０とがあり、前記作動時間計測部８０は、前記消毒機器に設けられ、消毒機器を使用した作業者８２のＩＤ番号を読み込み、当該ＩＤ番号と消毒機器の作動時間とを関連付ける。前記消毒機器が適切に使用されたかどうかの判定は、前記作動時間を基に、後述する製造データ収集部６４にて成される。なお、前記入力端末部５２は、Ｐｅｒｓｏｎａｌ  Ｄｉｇｉｔａｌ  Ａｓｓｉｓｔａｎｃｅ（以下ＰＤＡという）等の携帯可能な端末であると良い。
【００１８】
前記リーダ部１２ａ、１２ｂには、ＲＦＩＤのＩＤ番号を読み取るＲＦＩＤ読取部５８と、読み取ったＩＤ番号をコンピュータ端末１６に送信するための通信モジュール６０とが備えられる。
【００１９】
また、本発明の実施形態では、上記リーダ部１２ａ、１２ｂの他に、作業者８２が有するＲＦＩＤ８４を読み取るためのセンサ部であるＲＦＩＤ読取部９０を備えた入退室ゲート８６が設けられる。前記入退室ゲート８６は、前記リーダ部１２ａ、１２ｂと同様に、ＲＦＩＤ８４のＩＤ番号を読み取るＲＦＩＤ読取部９０と、読み取ったＩＤ番号をコンピュータ端末１６に送信するための通信モジュール８８とを有する。
【００２０】
前記入退室ゲート８６は、図示しない作業場やトイレといった各部屋の、図示しない出入り口に備えることで、作業者８２が部屋を出入する情報を記録することが可能となる。よって、作業者８２の行動履歴（工場内の動線）を管理（記録）することができるようになる。
【００２１】
また、通常、弁当の製造ラインを有する工場は、処理工程毎に部屋分けされている。このため、処理工程の部屋の入退室ゲート８６を通過した作業者８２は、当該部屋の処理工程に携わったものとみなすことができる。よって、当該作業者８２の基本データや、行動履歴を食品製造履歴の一部として管理することが可能となる。
【００２２】
前記コンピュータ端末１６には、少なくとも、リーダ部１２ａ、１２ｂとの間を前記ＲＦＩＤ５０を備えたトレイ１０が通過する時間を測定するための開始時刻測定部６２と終了時刻測定部６６と、前記各入力装置１４より入力されたデータを収集する製造データ収集部６４と、前記製造データ収集部６４に送られたデータとリーダ部１２ａ、１２ｂや入退室ゲート８６が読み取ったＲＦＩＤ８４に記録されたＩＤ番号とを関連付けてその履歴を記録する製造履歴データ記録部６８と、が備えられる。
【００２３】
さらに図１には示さなかったが、前記コンピュータ端末１６には、製造履歴情報を集中管理するサーバである履歴管理サーバ７０が接続され、前記製造履歴データ記録部６８とデータの送受信を可能にしている。
【００２４】
前記リーダ１２ａ、１２ｂ、前記入退室ゲート８６、前記入力装置１４と、前記コンピュータ端末１６とのデータの送受信は、有線または無線形式の通信ネットワークによれば良い。
【００２５】
上記構成の実施形態において、履歴管理サーバ７０は、コンピュータ端末１６を介してデータの管理を行う旨記載したが、前記履歴管理サーバ７０に前記コンピュータ端末１６の機能を持たせても良い。また、コンピュータ端末１６自体をサーバとして機能させても良い。
【００２６】
また、前記履歴管理サーバ７０には、図示しない製造履歴管理データベースの他に、少なくとも工場内の作業者の基本データを記録した作業者データベース（以下作業者ＤＢ）と、各部屋への作業員の入室状態を記録する各部屋毎の入退室データベース（以下入退室ＤＢ）とを備える。なお、前記作業者ＤＢには、作業者の有するＲＦＩＤのＩＤ番号に紐付けて、作業者の氏名、年齢、性別、連絡先、病歴、顔写真等を記録しておく。
【００２７】
上記のような食品製造履歴情報管理システムでは、図３に（１）〜（５）で示すように食品の履歴管理が行われる。なお、図３の上段には作業の概要を模式図的に示し、中段には作業のフローチャートを示し、下段には各作業時の入力データを示す。
【００２８】
まず、（１）に示されるように、食材（原料）入荷時には、原料の箱（容器）にＲＦＩＤを貼付し、貼付されたＲＦＩＤのＩＤ番号を読み込み、前記ＩＤ番号に関連付けるための原料の情報や配送業者、入荷日時等を入力し、コンピュータ端末１６に送信する。送信されたデータは、ＩＤ・原料名・原料詳細・配送業者名・入荷日等であり、これらのデータを関連つけて管理する。
【００２９】
次に（２）に示す下処理工程では、リーダ部１２ａ（図１参照）で原料の箱に貼付されたＲＦＩＤのＩＤ番号を読み取る。その後、加工部２０にて洗浄等の下処理を施し、原料を、同時に処理可能な単位（ロット）毎にトレイ等の容器に分配する。このときの環境情報（温度等）は逐次温度センシング部５４（図２参照）によって記録され、コンピュータ端末１６に送信され、記録される。
【００３０】
原料が複数のトレイに分配されると、リーダ部１２ｂ（図１参照）は、複数に分配された各トレイに付されたＲＦＩＤのＩＤ番号を読み込み、トレイに付されたＲＦＩＤのＩＤ番号と原料の箱に貼付されていたＲＦＩＤのＩＤ番号とは、前記コンピュータ端末１６の製造履歴データ記録部６８に、それぞれを関連付けて記録する。
【００３１】
送信され、記録されたデータは、ＩＤ番号を関連付けたデータと、下処理後のトレイに付されたＲＦＩＤのＩＤ番号に関連付けられるデータである、下処理方法・下処理日時等である。
【００３２】
これを、図３に示す模式図で説明すると、ＩＤ番号１０１である原料が、ＩＤ番号２０１、２０２の二つのトレイに分配された場合には、ＩＤ番号１０１とＩＤ番号２０１との関係と、ＩＤ番号１０１とＩＤ番号２０２との関係とをそれぞれ記録し、その処理内容もそれぞれ記録するのである。
【００３３】
次に、（３）に示す加工工程では、図３中段に示されるように、下処理後のトレイに付されたＲＦＩＤのＩＤ番号を読み取る。その後加工部２０にて食材を加工する。このとき、温度センシング部５４によって加工環境の情報はコンピュータ端末１６に送信される。食材加工後は、当該食材を、ＲＦＩＤを付された新たなトレイに移し、前記新たなトレイに付されたＲＦＩＤのＩＤ番号を読み込む。このとき入力されるデータは、下処理後のトレイに付されたＲＦＩＤのＩＤ番号と、加工処理後のトレイに付されたＲＦＩＤのＩＤ番号とを関連付けるデータと、加工処理後のトレイに付されたＲＦＩＤのＩＤ番号に関連付けられて記録される加工方法・加工温度等のデータである。
【００３４】
これを、図３に示す模式図で説明すると、例えばＩＤ番号２０１の食材が、加工により、ＩＤ番号３０１とＩＤ番号３０２との番号を持つ食材に分割された場合、ＩＤ番号２０１とＩＤ番号３０１との関係と、ＩＤ番号２０１とＩＤ番号３０２との関係とをそれぞれ記録し、その加工内容をも記録する。
【００３５】
（４）に示す盛り付け工程では、複数の食材が弁当として一つの容器に盛り付けられるため、盛り付ける複数の食材のトレイに付されたＲＦＩＤのＩＤ番号を読み込む。その後、各トレイから食材を取り出し、弁当箱に盛り付けを行う。盛り付け終了後、弁当箱若しくは弁当箱を乗せるトレイに付されたＲＦＩＤのＩＤ番号を読み込み、コンピュータ端末１６へ送信する。送信される情報は、弁当箱に盛り付けされた複数の食材のトレイに付されたＲＦＩＤのＩＤ番号と、弁当箱若しくは弁当箱を載せるトレイに付されたＲＦＩＤのＩＤ番号とを関連付ける情報と、弁当箱若しくは弁当箱を乗せるトレイに付されたＲＦＩＤに記録された、弁当の盛り付け方法や、盛り付け日時等である。
【００３６】
模式図で説明すると、ＩＤ番号３０１を付された食材（トレイ）と、ＩＤ番号４０１を付された食材（トレイ）と、ＩＤ番号５０１を付された食材（トレイ）とを一つの弁当箱に盛り付ける場合に、前記複数のＩＤ番号と、弁当箱に付されたＩＤ番号である１００１とを関連付けるデータと、盛り付け時の環境情報等を記録する。
【００３７】
盛り付け後、（５）に示すように、弁当箱若しくは弁当箱を乗せるトレイに付されたＲＦＩＤのＩＤ番号を読み込むとともに、弁当の検査情報や、出荷日時、配送業者といった出荷情報を入力し、コンピュータ端末１６に送信する。
【００３８】
上記のように、各ゲート毎に変わる食材のＩＤ番号を関連付けて、弁当の製造履歴を管理することで、製造された弁当に使用されている食材のそれぞれが、どのような工程を経てきているか、また、同様な工程を経た食材がどの弁当に配されているかを調べることが容易にできるようになる。
【００３９】
このような工程で弁当製造の履歴を管理する食品製造履歴情報管理システムに対して、本発明の食品の製造履歴情報管理システムに係る実施形態は、例えば（４）の盛り付け工程のように、作業者８２の加担が必須となるものに適用されると効果的である。
【００４０】
一般に弁当の製造ラインを有する工場は、処理工程毎に部屋分けされているため、処理工程の部屋の出入口に設けられた入退室ゲート８６を通過した作業者８２が、当該処理に携わったとみなすことができる。このため、弁当製造工程における処理内容のデータと共に、前記入退室ゲート８６を通過して作業場へ入室した作業者８２のＩＤ番号を記録して、前記作業者８２の基本情報を処理内容のデータに関連付ける。
【００４１】
以下に、作業者８２が作業場へ入出する際の流れを図４を参照して説明する。
作業者８２が作業場（部屋）に入出する際に通過する入退室ゲート８６では、作業者８２が通過する際に、作業者８２の有するＲＦＩＤ８４のＩＤ番号を読み取る（ステップ０１０）。読み取ったＩＤ番号と部屋の入室者ＤＢに登録されているＩＤ番号とを照合し、前記読み取ったＩＤ番号が登録されているか否かを判断する（ステップ０１２）。読み取ったＩＤ番号が前記入室者ＤＢに登録されていない場合には、作業場内に前記ＩＤ番号を有する作業者８２は存在しないとみなされ、入室者（入室する者）とみなされる（ステップ０２０）。入室者とみなされた作業者８２のＩＤ番号は、前記入室者ＤＢに登録される（ステップ０２２）。また、入室の際のＯＳＰとして使用を義務付けているエアシャワー等の消毒・殺菌機器では、使用と同時にＩＤ番号を読み取り、タイマによって、規定時間使用がされたかが前記製造データ収集部６４にて判定される（ステップ０２４）。エアシャワーを規定時間浴びたと判定された作業者８２は、入室許可者となり、作業場へ入室できる（ステップ０２６）。作業者８２が入室すると、入退室ゲート８６で読み取ったＩＤ番号を有する作業者８２は、入室した部屋の処理工程に携わったものとみなされ、処理内容のデータと共に当該ＩＤ番号が履歴管理サーバ７０に記録される（ステップ０２８）。前記ステップ０２４において入室許可されなかった場合には、再びエアシャワーを使用することで、入室許可者となるようにする。
【００４２】
また、前記入退室ゲート８６通過時に入室者ＤＢにＩＤ番号が登録されていた場合には、その作業者は退室者（退室する者）とみなされ、入室者ＤＢから当該ＩD番号を消去される（ステップ０３０）。
【００４３】
上記のようにすることで、作業場へ入室した作業者８２は、常に規定時間消毒・殺菌機器を使用した者となるので、作業場内の衛生状態を良好に保つことが可能となる。
【００４４】
入退室ゲート８６および作動時間計測部８０の使用例として、上記の他には、作業者８２がトイレ等に行く場合がある。その流れを図５を参照して説明する。
作業者８２がトイレに入出する際に通過する入退室ゲート８６では、作業者８２が通過する際に、作業者８２の有するＲＦＩＤ８４のＩＤ番号を読み取る（ステップ１１０）。読み取ったＩＤ番号と、部屋（トイレ）の入室者ＤＢに登録されているＩＤ番号とを照合し、読み取ったＩＤ番号がトイレの入室者ＤＢに登録されているか否かを判断する（ステップ１１２）。ＩＤ番号が登録されていない場合、トイレ内には前記ＩＤ番号を有する作業者８２は存在しないと判断され、入室者とみなされる（ステップ１２０）。入室者とみなされた作業者８２のＩＤ番号は、トイレの入室者ＤＢに登録される（ステップ１２２）。
【００４５】
トイレでは、使用後に手洗いがＯＳＰとして規定されているため、消毒機器としての水道（蛇口部）が使用される。このとき、蛇口部の使用とともに作業者８２が携帯するＲＦＩＤ８４のＩＤ番号を読み取ることで、作業者８２が手洗いをしたか否かを判定する（ステップ１２４）。蛇口部でＩＤ番号を読み取られた場合には、そのＩＤ番号の作業者８２は、手洗いを行ったとみなされて退室可能者であると、トイレの入室者データベース等に記録される（ステップ１２６）。ＩＤ番号を読み取ると共に、蛇口部の使用時間を測定し、これを踏まえて退室の可否を判定するようにしても良い。
【００４６】
前記ステップ１１２において、入室者ＤＢに読み取ったＩＤ番号があると判定された場合には、そのＩＤ番号の作業者８２は退室者とみなされる（ステップ１３０）。退室者とみなされた場合、ステップ１２４において、退室可能者と記録されているかが判定される（ステップ１３２）。退室可能者であると記録されている場合には、退室者としてトイレから出ることができる（ステップ１３４）。
上記のごとく作業者８２が退室可能者と判定された場合には、前記作業者８２のＩＤ番号は、トイレの入室者ＤＢから削除される。
【００４７】
一方、退室可能者として記録されていないと判定された場合には、ステップ１２４に戻り、再び手洗いを行う。
トイレの出入口に備えられた入退室ゲート８６で読み取られたＩＤ番号はその作業者の履歴として、処理情報の一部に記録することもできる。
【００４８】
このように、各部屋の出入口に入退室ゲート８６を備えるようにすることで、作業者８２がどの部屋に出入したかをも履歴として残すことが可能となる。このため、不具合が生じた食品の製造を担当していた作業者が出入していた部屋で製造された食品は、危険因子を持つという食品の安全管理も可能となる。
【００４９】
上記実施例では、作業者８２が入退室ゲート８６を通過して作業場に入室することで、その部屋で成される処理に携わるというように判断したが、実際に処理に携わる際にＩＤ番号を入力若しくは読取するようにしても良い。
【００５０】
上記のような作業者の衛生情報を含めた食品製造履歴情報管理システムにおいて、作業者の基本情報をＩＤ番号に紐付けて予めサーバに記録しておくようにしたことで、ＩＤを読み取った時点で、予め記録されている作業者の病歴や健康状態といった複数の情報を食品製造工程の情報の一部として記録することができる。また、前記作業者は消毒機器の使用によって各部屋への入出を許可するようにすることで、食品製造工程の衛生状態を良好に保つことができる。また、作業者の入出情報を基に、作業者の動線を記録することで、作業者の行動管理をも行うことが可能となる。
【００５１】
また、上記構成の食品の製造履歴情報管理システムにおいて、工程毎に部屋分けされた製造ラインを有する食品工場において、ＩＤ番号を記録したＲＦＩＤを有する作業者の基本データが前記ＩＤ番号と共に記録された作業者データベースと、各作業者の各部屋への入室状態を記録する入室者データベースと、食品の製造履歴を記録する食品製造履歴データベースと、を有するサーバと、前記作業者が各部屋へ入出する際に前記ＲＦＩＤのＩＤ番号を読み取るＲＦＩＤ読取部と、を備え、前記サーバは、前記ＲＦＩＤ読取部によって読み込まれたＩＤ番号と、前記作業者データベースとを照合して導き出された作業者の基本情報を、前記作業者が携わる製造工程情報の一部として食品製造履歴データに関連つけて記録する製造履歴データ記録部を有することを特徴とすることにより、作業者の衛生状態を含めた食品の製造履歴情報の管理を行うことが可能となる。
【００５２】
また、各部屋の出入口には消毒機器が備えられ、前記消毒機器には、使用時に前記タグのＩＤ番号を読み取るＲＦＩＤ読取部と、前記消毒機器の使用時間を計測するタイマと、が備えられ、前記サーバには、前記タイマによって計測された時間から、前記消毒機器が適切に使用されたかを判定する製造データ収集部を設けるようにしたことにより、食品加工に携わる際の作業者の衛生状態を把握することが可能となる。
【図面の簡単な説明】
【００５３】
【図１】本発明を実施をする場合の基礎となる食品製造履歴情報管理システムと製造ラインとの関係を示す概略構成の斜視図である。
【図２】本発明の食品の製造履歴情報管理システムの構成を示す図である。
【図３】本発明を実施をする場合の基礎となる食品製造履歴情報管理システムの実施における流れを示す図である。
【図４】作業者が作業場へ入出する際の流れを示すフローチャートである。
【図５】作業者がトイレへ入出する際の流れを示すフローチャートである。
【符号の説明】
【００５４】
１０………トレイ、１１………ゲート、１２ａ、１２ｂ………リーダ部、１４………入力装置、１６………コンピュータ端末、１８ａ………上流側搬送部、１８ｂ………下流側搬送部、２０………加工部、５０………ＲＦＩＤ、７０………履歴管理サーバ、８０………作動時間計測部、８２………作業者、８４………ＲＦＩＤ、８６………入退室ゲート、８８………通信モジュール、９０………ＲＦＩＤ読取部。
【図１】
2005107563.tif 000003
【図２】
2005107563.tif 000004
【図３】
2005107563.tif 000005
【図４】
2005107563.tif 000006
【図５】
2005107563.tif 000007